(57)【要約】      （修正有）【課題】停電後の復電時における省エネを確保するとともに、操作の簡略化を図る。【解決手段】湯沸かし用の断熱容器からなる内容器３と、内容器３を加熱する加熱手段４と、内容器３の温度を検出する温度検出手段１３とを備え、湯沸かし後に所定の設定保温温度に保温する設定保温温度制御モードと湯沸かし後に加熱手段４への通電を停止した状態で保温する魔法瓶保温制御モードとを選択できるように構成した電気貯湯容器において、設定保温温度制御モードが選択された状態で停電が発生し、その後復電した場合には、加熱手段に対して設定保温温度での保温を行うように加熱制御を行う一方、魔法瓶保温制御モードが選択された状態で停電が発生し、その後復電した場合には、魔法瓶保温制御モードを継続するように構成している。【選択図】図１
2007044327.tif 000002
【特許請求の範囲】
【請求項１】
湯沸かし用の断熱容器からなる内容器と、該内容器を加熱する加熱手段と、前記内容器の温度を検出する温度検出手段とを備え、湯沸かし後に所定の設定保温温度に保温する設定保温温度制御モードと湯沸かし後に前記加熱手段への通電を停止した状態で保温する魔法瓶保温制御モードとを選択できるように構成した電気貯湯容器であって、前記設定保温温度制御モードが選択された状態で停電が発生し、その後復電した場合には、前記加熱手段に対して設定保温温度での保温を行うように加熱制御を行う一方、前記魔法瓶保温制御モードが選択された状態で停電が発生し、その後復電した場合には、前記魔法瓶保温制御モードを継続するように構成したことを特徴とする電気貯湯容器。
【請求項２】
前記魔法瓶保温制御モードが選択された状態で停電が発生し、その後復電した場合であっても、前記内容器内のお湯の温度が所定値以上降下していた場合には前記加熱手段への通電による加熱を行うように構成したことを特徴とする請求項１記載の電気貯湯容器。
【請求項３】
前記内容器内のお湯の温度が所定の時間内に急激に低下した場合には、前記内容器内への新たな給水が行われたと判断して、前記加熱手段への通電による沸騰までの加熱を行うように構成したことを特徴とする前記請求項２記載の電気貯湯容器。
【請求項４】
前記魔法瓶保温制御モードが選択された状態で停電が発生し、その後復電した場合であっても、停電から復電までに所定時間以上が経過した場合には、前記加熱手段への通電による沸騰までの加熱を行うように構成したことを特徴とする請求項２記載の電気貯湯容器。
【発明の詳細な説明】
【技術分野】
【０００１】
本願発明は、断熱容器からなる内容器を備えた電気貯湯容器に関し、さらに詳しくはこのような構造の電気貯湯容器における停電発生後に復電した場合の保温制御に関するものである。ここで、停電とは、電源ＯＦＦ状態のことであり、所謂停電以外に電源コンセントを外した状態も含む。
【背景技術】
【０００２】
近年、電気貯湯容器が多機能化し、単に水を加熱保温する機能だけでなく、保温温度を何種類か変更できる機能や、美味しい水に作り変える浄化機能を備えたものが開発されているが、停電時の使い勝手が課題とされている。
【０００３】
また、湯沸かし用の断熱容器からなる内容器と、該内容器を加熱する加熱手段と、前記内容器の温度を検知する温度検知手段とを備えて構成された電気貯湯容器はよく知られており、このような構造の電気貯湯容器においては、加熱手段への通電を停止した状態での保温（即ち、魔法瓶保温）が可能であり、省エネ対策として有効に利用されている。
【０００４】
ところで、電気貯湯容器において、停電後の復電時に、現在温度と停電前の設定保温温度との温度差が所定の温度幅以内であれば前記設定保温温度になるように保温動作を行い、所定の温度幅以上に温度が低下している場合は加熱を開始して沸騰させたのち前記設定保温温度にするように制御する制御手段を設けたものが既に提案されている（特許文献１参照）。
【０００５】
【特許文献１】特許第３１８５１１７号公報。
【発明の開示】
【発明が解決しようとする課題】
【０００６】
上記特許文献１に開示されている電気貯湯容器の場合、加熱手段への通電を停止した状態での保温（即ち、魔法瓶保温）についてはなんら開示されていない。
【０００７】
ところが、停電発生時に魔法瓶保温が選択されていた場合、復電時には、初期設定温度（通常、９０℃）に戻るため、加熱手段への通電が開始されたり、再度魔法瓶保温を選択しなおす必要があり、非省エネとなるばかりでなく、操作も煩わしくなってしまうという不具合が生じる。
【０００８】
本願発明は、上記の点に鑑みてなされたもので、停電後の復電時における省エネを確保するとともに、操作の簡略化を図ることを目的とするものである。
【課題を解決するための手段】
【０００９】
本願発明では、上記課題を解決するための第１の手段として、湯沸かし用の断熱容器からなる内容器と、該内容器を加熱する加熱手段と、前記内容器の温度を検出する温度検出手段とを備え、湯沸かし後に所定の設定保温温度に保温する設定保温温度制御モードと湯沸かし後に前記加熱手段への通電を停止した状態で保温する魔法瓶保温制御モードとを選択できるように構成した電気貯湯容器において、前記設定保温温度制御モードが選択された状態で停電が発生し、その後復電した場合には、前記加熱手段に対して設定保温温度での保温を行うように加熱制御を行う一方、前記魔法瓶保温制御モードが選択された状態で停電が発生し、その後復電した場合には、前記魔法瓶保温制御モードを継続するように構成している。
【００１０】
上記のように構成したことにより、設定保温温度制御モードが選択された状態で停電が発生し、その後復電した場合には、加熱手段に対して設定保温温度での保温を行うように加熱制御が行われる一方、魔法瓶保温制御モードが選択された状態で停電が発生し、その後復電した場合には、魔法瓶保温制御モードが継続されることとなる。従って、停電発生前の保温制御を継続することができるとともに、省エネを確保することができる。
【００１１】
本願発明では、さらに、上記課題を解決するための第２の手段として、上記第１の手段を備えた電気貯湯容器において、前記前記魔法瓶保温制御モードが選択された状態で停電が発生し、その後復電した場合であっても、前記内容器内のお湯の温度が所定値以上降下していた場合には前記加熱手段への通電による加熱を行うように構成することもでき、そのように構成した場合、停電により内容器内のお湯の温度が所定値以上降下していた場合にはお湯の温度上昇が得られ、魔法瓶保温における保温状態を改善することができる。
【００１２】
本願発明では、さらに、上記課題を解決するための第３の手段として、上記第２の手段を備えた電気貯湯容器において、前記内容器内のお湯の温度が所定の時間内に急激に低下した場合には、前記内容器内への新たな給水が行われたと判断して、前記加熱手段への通電による沸騰までの加熱を行うように構成することもでき、そのように構成した場合、新たな給水による温度降下を検知して沸騰加熱を行うことができ、煮沸殺菌されたお湯を魔法瓶保温することができることとなり、衛生的となる。
【００１３】
本願発明では、さらに、上記課題を解決するための第４の手段として、上記第２の手段を備えた電気貯湯容器において、前記魔法瓶保温制御モードが選択された状態で停電が発生し、その後復電した場合であっても、停電から復電までに所定時間以上が経過した場合には、前記加熱手段への通電による沸騰までの加熱を行うように構成することもでき、そのように構成した場合、停電から復電までに所定時間以上が経過して湯温が降下し過ぎたときには、加熱手段への通電による沸騰までの加熱を行うことができ、煮沸殺菌されたお湯を魔法瓶保温することができることとなり、衛生的となる。
【発明の効果】
【００１４】
本願発明の第１の手段によれば、湯沸かし用の断熱容器からなる内容器と、該内容器を加熱する加熱手段と、前記内容器の温度を検出する温度検出手段とを備え、湯沸かし後に所定の設定保温温度に保温する設定保温温度制御モードと湯沸かし後に前記加熱手段への通電を停止した状態で保温する魔法瓶保温制御モードとを選択できるように構成した電気貯湯容器において、前記設定保温温度制御モードが選択された状態で停電が発生し、その後復電した場合には、前記加熱手段に対して設定保温温度での保温を行うように加熱制御を行う一方、前記魔法瓶保温制御モードが選択された状態で停電が発生し、その後復電した場合には、前記魔法瓶保温制御モードを継続するように構成して、設定保温温度制御モードが選択された状態で停電が発生し、その後復電した場合には、加熱手段に対して設定保温温度での保温を行うように加熱制御が行われる一方、魔法瓶保温制御モードが選択された状態で停電が発生し、その後復電した場合には、魔法瓶保温制御モードが継続されるようにしたので、停電発生前の保温制御を継続することができるとともに、省エネを確保することができるという効果がある。
【００１５】
本願発明の第２の手段におけるように、上記第１の手段を備えた電気貯湯容器において、前記前記魔法瓶保温制御モードが選択された状態で停電が発生し、その後復電した場合であっても、前記内容器内のお湯の温度が所定値以上降下していた場合には前記加熱手段への通電による加熱を行うように構成することもでき、そのように構成した場合、停電により内容器内のお湯の温度が所定値以上降下していた場合にはお湯の温度上昇が得られ、魔法瓶保温における保温状態を改善することができる。
【００１６】
本願発明の第３の手段におけるように、上記第２の手段を備えた電気貯湯容器において、前記内容器内のお湯の温度が所定の時間内に急激に低下した場合には、前記内容器内への新たな給水が行われたと判断して、前記加熱手段への通電による沸騰までの加熱を行うように構成することもでき、そのように構成した場合、新たな給水による温度降下を検知して沸騰加熱を行うことができ、煮沸殺菌されたお湯を魔法瓶保温することができることとなり、衛生的となる。
【００１７】
本願発明の第４の手段におけるように、上記第２の手段を備えた電気貯湯容器において、前記魔法瓶保温制御モードが選択された状態で停電が発生し、その後復電した場合であっても、停電から復電までに所定時間以上が経過した場合には、前記加熱手段への通電による沸騰までの加熱を行うように構成することもでき、そのように構成した場合、停電から復電までに所定時間以上が経過して湯温が降下し過ぎたときには、加熱手段への通電による沸騰までの加熱を行うことができ、煮沸殺菌されたお湯を魔法瓶保温することができることとなり、衛生的となる。
【発明を実施するための最良の形態】
【００１８】
以下、添付の図面を参照して、本願発明の幾つかのの好適な実施の形態について詳述する。
【００１９】
第１の実施の形態
図１ないし図３には、本願発明の第１の実施の形態にかかる電気貯湯容器の具体的構成が示されている。
【００２０】
この電気貯湯容器は、図１に示すように、湯沸かし用の内容器３を備えた容器本体１と、該容器本体１の上部開口を開閉する蓋体２と、前記内容器３の底部を加熱する加熱手段である電気ヒータ４と、前記内容器３内のお湯を外部へ給湯するための給湯通路５と、該給湯通路５の途中に設けられたポンプ装置である電動ポンプ６とを備えて構成されている。
【００２１】
前記容器本体１は、外側面を構成する合成樹脂製の外ケース７と、内周面を構成する前記内容器３と、前記外ケース７の上部と内容器３の上部とを結合する合成樹脂製の環状の肩部材８と、底面を構成する合成樹脂製の底板９とからなっている。
【００２２】
前記内容器３は、ステンレス製の有底円筒形状の内筒１０とステンレス製の略円筒形状の外筒１１との間に真空空間１２を形成してなる真空二重容器からなっており、その底部には、前記内筒１０の底部のみからなる非真空部３ａが形成されている。該非真空部３ａの下面には、前記電気ヒータ４（例えば、雲母板に発熱体を保持させてなるマイカヒータ）が取り付けられている。符号１３は内容器３の温度（換言すれば、湯温Ｔ）を検出する温度検出手段として作用する温度センサーである。
【００２３】
前記蓋体２は、合成樹脂製の上板１４と該上板１４に対して外周縁が嵌め合いにより結合された合成樹脂製の下板１５とからなっており、前記肩部材８の後部に設けられたヒンジ受け１６に対してヒンジピン１７を介して開閉且つ着脱自在に支持されている。
【００２４】
また、この蓋体２には、電源が接続されていない状態でも給湯通路５を介しての給湯が可能なように、手動操作により駆動されるエアーポンプ１８が配設されている。該エアーポンプ１８は、前記蓋体２の略中央部に形成された円筒形状の凹部１９内に配設されたベーローズタイプのものとされており、押圧板２０を介しての押圧操作により加圧空気が内容器３内に吹き込まれ、該加圧空気の圧力により内容器３内のお湯が給湯通路５を介して外部へ押し出されることとなっている。符号２１は蒸気排出通路、２２は蒸気排出通路２１の途中に配設された転倒止水弁である。
【００２５】
前記蓋体２における下板１５には、金属製のカバー部材２３が固定されており、該カバー部材２３の外周縁には、蓋体２の閉蓋時において前記内容器３の給水口３ｂに圧接されるシールパッキン２４が設けられている。
【００２６】
前記給湯通路５の途中であって前記内容器３の下方位置には、前記電動ポンプ６が配設されている。また、前記給湯通路５の途中であって満水位表示部２５より上方位置には、転倒時止水弁２６および前傾時止水弁２７が設けられている。
【００２７】
上記構成の電気貯湯容器は、保温用ヒータ４Ｂへの通電制御を行う通常の保温モード（換言すれば、設定保温温度制御モード）の他に、沸騰用ヒータ４Ａおよび保温用ヒータ４Ｂへの通電を停止した状態で保温する魔法瓶保温モードによる使用が可能となっている。
【００２８】
図１において、符号２８は蓋体２を容器本体１に対して閉止状態に保持するためのロック機構、２９は後述する各種スイッチ類を備えた操作パネル部、３０はスイッチ基板である。
【００２９】
前記操作パネル部２９には、図２に示すように、給湯スイッチ３１、ロック解除スイッチ３２、再沸騰スイッチ３３、保温選択スイッチ３４、定量給湯時の湯量設定等を行う選択スイッチ３５、液晶表示装置３６、再沸騰表示灯３７、保温表示灯３８が設けられている。前記液晶表示装置３６には、温度、沸騰残時間および湯量が交互に７セグメント表示され且つ後述するスローリーク発生表示が文字表示されるとともに、設定保温温度（９８℃、９０℃、まほうびん）を表示する三角形形状の表示灯３９〜４２が設けられている。
【００３０】
図３は、本実施の形態にかかる電気貯湯容器における電気的要素の結線状態を示すブロック図である。なお、既に説明した電気的要素については同一の符号を付して説明を省略する。
【００３１】
マイクロコンピュータユニット（以下、マイコンと略称する）４３においては、各種スイッチ類３１〜３５、発振回路４４、リセット回路４５および温度センサー１３からの信号が入力され、各種演算処理が行われ、制御信号が再沸騰表示灯３７、保温表示灯３８、液晶表示装置３６、ブザー４６、トライアック駆動回路４７、リレー駆動回路４８、ＩＲＧ回路４９、安定化電源回路５０、ポンプ駆動回路５１およびトライアック５２に出力されることとなっている。符号５３はタブ付きリレー、５４は商用交流電源、５５は温度ヒューズである。なお、電気ヒータ４は、沸騰用ヒータ４Ａと保温用ヒータ４Ｂとからなっており、沸騰用ヒータ４Ａはタブ付きリレー５３により通電制御され、保温用ヒータ４Ｂはトライアック５２により通電制御されることとなっている。
【００３２】
前記マイコン４３は、前記温度センサー１３による検出温度Ｔに基づいて沸騰用ヒータ４Ａおよび保温用ヒータ４Ｂへの通電を制御する通常保温制御機能と、以下に説明する停電復帰時（換言すれば、復電時）における保温制御を行う制御機能とを備えている。
【００３３】
ついで、上記構成の電気貯湯容器における復電時保温制御について、図４に示すフローチャートを参照して説明する。
【００３４】
ステップＳ１において停電発生が検出されたと判定されると、ステップＳ２においてその時の保温選択がマイコン４３に記憶される。該記憶は、例えばＥＥＰＲＯＭあるいはバックアップ用コンデンサ等により行われる。
【００３５】
ステップＳ３において停電が復帰したこと（換言すれば、復電）が確認されると、ステップＳ４において温度センサー１３により検出されたお湯の温度Ｔ（即ち、検出温度）がマイコン４３に入力される。
【００３６】
そして、ステップＳ５において検出温度Ｔと所定の温度（例えば、５０℃）との比較がなされる。ここで、５０℃を比較の目安とする温度とした理由は、お湯の温度が５０℃未満となるということは、新たな給水が行われたか、長時間（例えば、２４時間）の停電があったかのいずれかであると判断するためである。
【００３７】
ステップＳ５において否定判定された場合（即ち、Ｔ＜５０℃と判定された場合）には、新たな給水が行われたか、長時間（例えば、２４時間）の停電があったかのいずれかであると判断して、ステップ６においてヒータ（具体的には、沸騰用ヒータ４Ａ）への通電が開始され、沸騰制御が実行される。この沸騰制御は、ステップＳ７において沸騰が検出さたと確認されるまで行われる。該沸騰検出は、例えば通常の温度上昇度判定により行われる。ステップＳ７において沸騰が検出されると、ステップＳ８においてヒータ（具体的には、沸騰用ヒータ４Ａ）への通電が停止され、ステップＳ９において検出温度と保温設定温度Ｔｈｓとの比較がなされ、ここでＴ≦Ｔｈｓと判定されると、ステップＳ１０において保温設定温度Ｔｈｓによる保温安定制御（換言すれば、保温用ヒータ４Ｂへの通電による保温安定制御）が実行され、その後制御はステップＳ１へリターンする。
【００３８】
一方、ステップＳ５において肯定判定された場合（即ち、Ｔ≧５０℃と判定された場合）には、ステップＳ１１において魔法瓶保温モードが選択されていたか否かの判定が行われ、ここで肯定判定されると、ステップＳ１２においてヒータ（即ち、沸騰用および保温用ヒータ４Ａ，４Ｂ）への通電が停止され、ステップＳ１３において魔法瓶保温制御が継続され、その後制御はステップＳ１へリターンする。このとき、復電時に再加熱を行っていないことを表示手段である液晶表示装置３６に表示するのがユーザにとって好ましい。
【００３９】
ステップＳ１１において否定判定された場合には、ステップＳ１４においてヒータ（具体的には、沸騰用ヒータ４Ａ）への通電が開始され、加熱制御が実行される。該加熱制御は、ステップＳ１５においてＴ≧Ｔｈｓと判定されるまで継続され、ここでＴ≧Ｔｈｓと判定されると、ステップＳ１６において保温設定温度Ｔｈｓによる保温安定制御（換言すれば、保温用ヒータ４Ｂへの通電による保温安定制御）が実行され、その後制御はステップＳ１へリターンする。
【００４０】
上記したように、本実施の形態においては、設定保温温度制御モードが選択された状態で停電が発生し、その後復電した場合には、ヒータ（例えば、保温用ヒータ）４Ｂに対して設定保温温度での保温を行うように加熱制御が行われる一方、魔法瓶保温制御モードが選択された状態で停電が発生し、その後復電した場合には、魔法瓶保温制御モードが継続されることとなる。従って、停電発生前の保温制御を継続することができるとともに、省エネを確保することができる。
【００４１】
また、停電により内容器内のお湯の温度が所定値以上降下していた場合にはお湯の温度上昇が得られ、魔法瓶保温における保温状態を改善することができる。
【００４２】
また、新たな給水による温度降下を検知して沸騰加熱を行うことができ、煮沸殺菌されたお湯を魔法瓶保温することができることとなり、衛生的となる。
【００４３】
また、停電から復電までに所定時間以上が経過して湯温が降下し過ぎたときには、加熱手段への通電による沸騰までの加熱を行うことができ、煮沸殺菌されたお湯を魔法瓶保温することができることとなり、衛生的となる。
【００４４】
第２の実施の形態
図５には、本願発明の第２の実施の形態にかかる電気貯湯容器における復電時保温制御のフローチャートが示されている。
【００４５】
ステップＳ１において停電発生が検出されたと判定されると、ステップＳ２およびステップＳ３においてその時の湯温Ｔ1および保温選択がマイコン４３に記憶される。該記憶は、例えばＥＥＰＲＯＭあるいはバックアップ用コンデンサ等により行われる。
【００４６】
ステップＳ４において停電が復帰したこと（換言すれば、復電）が確認されると、ステップＳ５において温度センサー１３により検出されたお湯の温度Ｔ2（即ち、検出温度）がマイコン４３に入力される。
【００４７】
そして、ステップＳ６において検出温度Ｔ2と所定の温度（例えば、５０℃）との比較がなされる。ここで、５０℃を比較の目安とする温度とした理由は、お湯の温度が５０℃未満となるということは、新たな給水が行われたか、長時間（例えば、２４時間）の停電があったかのいずれかであると判断するためである。
【００４８】
ステップＳ６において否定判定された場合（即ち、Ｔ＜５０℃と判定された場合）には、新たな給水が行われたか、長時間（例えば、２４時間）の停電があったかのいずれかであると判断して、ステップ７においてヒータ（具体的には、沸騰用ヒータ４Ａ）への通電が開始され、沸騰制御が実行される。この沸騰制御は、ステップＳ８において沸騰が検出さたと確認されるまで行われる。該沸騰検出は、通常の温度上昇度判定により行われる。ステップＳ８において沸騰が検出されると、ステップＳ９においてヒータ（具体的には、沸騰用ヒータ４Ａ）への通電が停止され、ステップＳ１０において検出温度と保温設定温度Ｔｈｓとの比較がなされ、ここでＴ≦Ｔｈｓと判定されると、ステップＳ１１において保温設定温度Ｔｈｓによる保温安定制御（換言すれば、保温用ヒータ４Ｂへの通電による保温安定制御）が実行され、その後制御はステップＳ１へリターンする。
【００４９】
一方、ステップＳ６において肯定判定された場合（即ち、Ｔ≧５０℃と判定された場合）には、ステップＳ１２において魔法瓶保温モードが選択されていたか否かの判定が行われ、ここで肯定判定されると、ステップＳ１３においてヒータ（即ち、沸騰用および保温用ヒータ４Ａ，４Ｂ）への通電が停止され、ステップＳ１４において魔法瓶保温制御が継続され、その後制御はステップＳ１へリターンする。
【００５０】
ステップＳ１２において否定判定された場合には、ステップＳ１５においてＴ1−Ｔ2（即ち、停電発生時の湯温Ｔ1と復電時の湯温Ｔ2との差温）と所定温度（例えば、１０℃）との比較がなされる。ここで、肯定判定された場合には、ステップＳ１６においてヒータ（具体的には、沸騰用ヒータ４Ａ）への通電が開始され、加熱制御が実行される。該加熱制御は、ステップＳ１７においてＴ≧Ｔｈｓと判定されるまで継続され、ここでＴ≧Ｔｈｓと判定されると、ステップＳ１８において保温設定温度Ｔｈｓによる保温安定制御（換言すれば、保温用ヒータ４Ｂへの通電による保温安定制御）が実行され、その後制御はステップＳ１へリターンする。
【００５１】
ステップＳ１５において否定判定された場合には、再沸騰の必要があるところから、ステップＳ７に戻り、以後の制御が繰り返される。
【００５２】
上記したように、本実施の形態においては、設定保温温度制御モードが選択された状態で停電が発生し、その後復電した場合には、ヒータ（例えば、保温用ヒータ）４Ｂに対して設定保温温度での保温を行うように加熱制御が行われる一方、魔法瓶保温制御モードが選択された状態で停電が発生し、その後復電した場合には、魔法瓶保温制御モードが継続されることとなる。従って、停電発生前の保温制御を継続することができるとともに、省エネを確保することができる。
【００５３】
また、停電により内容器内のお湯の温度が所定値以上降下していた場合にはお湯の温度上昇が得られ、魔法瓶保温における保温状態を改善することができる。
【００５４】
また、新たな給水による温度降下を検知して沸騰加熱を行うことができ、煮沸殺菌されたお湯を魔法瓶保温することができることとなり、衛生的となる。
【００５５】
また、停電から復電までに所定時間以上が経過して湯温が降下し過ぎたときには、加熱手段への通電による沸騰までの加熱を行うことができ、煮沸殺菌されたお湯を魔法瓶保温することができることとなり、衛生的となる。
【００５６】
ところで、上記各実施の形態においては、停電時に魔法瓶保温が実行されていた場合、復電時にはヒータへの通電を行わないようになっているが、魔法瓶保温の場合、内容器３内のお湯の温度が上下で大きく異なる場合があるので、復電時にヒータ（具体的には、保温用ヒータ４Ｂ）に所定時間だけ通電してお湯の対流を促すのがお湯の温度の均一化に寄与することとなる。
【００５７】
また、上記各実施の形態においては、内容器として真空二重容器を採用しているが、その他の断熱容器（例えば、真空断熱材を外周側に被覆した容器）等を採用することができることは勿論である。
【００５８】
本願発明は、上記各実施の形態に限定されるものではなく、発明の要旨を逸脱しない範囲において適宜設計変更可能なことは勿論である。
【図面の簡単な説明】
【００５９】
【図１】本願発明の第１の実施の形態にかかる電気貯湯容器の縦断面図である。
【図２】本願発明の第１の実施の形態にかかるであるにおける操作パネル部の拡大平面図である。
【図３】本願発明の第１の実施の形態にかかる電気貯湯容器における電気的要素の結線図である。
【図４】本願発明の第１の実施の形態にかかる電気貯湯容器における復電時保温制御の内容を示すフローチャートである。
【図５】本願発明の第２の実施の形態にかかる電気貯湯容器における復電時保温制御の内容を示すフローチャートである。
【符号の説明】
【００６０】
３は内容器
４は加熱手段（電気ヒータ）
４Ａは沸騰用ヒータ
４Ｂは保温用ヒータ
１３は温度検出手段（温度センサー）
２９は操作パネル部
３６は液晶表示装置
４３はマイコン
【図１】
2007044327.tif 000003
【図２】
2007044327.tif 000004
【図３】
2007044327.tif 000005
【図４】
2007044327.tif 000006
【図５】
2007044327.tif 000007